(57)【要約】【課題】採尿カップをスムーズ、且つ素早く提供すると共に、排出された採尿カップの視認性と、採尿カップの取扱性を向上する。【解決手段】採尿カップを収容するカップ収容手段と、カップ収容手段に収容された採尿カップを取得する採尿カップ取得手段と、採尿カップ取得手段により取得された採尿カップを受け止めるカップ取出口を備える受付装置において、前記カップ取得手段側から前記カップ取出口側にかけて下り勾配を有した、カップ取得手段により取得された採尿カップをカップ取出口まで移送するカップ移送路を備える。カップ移送路は、カップ取得手段側に配設される第１の移送路と、カップ取出口側に配設される第２の移送路とから成り、第１の移送路のカップ取得手段側の端部は、第２の移送路前記カップ取得手段側の端部より高い位置にあり、第１の移送路の前記カップ取出口側の端部の垂直下方に第２の移送路が存在する。【選択図】図５
2018002468.tif 000002
【特許請求の範囲】
【請求項１】
採尿カップを収容するカップ収容手段と、そのカップ収容手段に収容された採尿カップを取得するカップ取得手段と、そのカップ取得手段により取得された採尿カップを受け止めるカップ取出部を備える受付装置において、
前記カップ取得手段から前記カップ取出部にかけて、該カップ取得手段により取得された採尿カップを該カップ取出部まで移送するカップ移送路を備え、
該カップ移送路は、前記カップ取得手段側から前記カップ取出部側にかけて下り勾配となるように配設されており、
前記採尿カップが、前記カップ移送路上を滑動して前記カップ取出部に到達することを特徴とする受付装置。
【請求項２】
前記カップ移送路は、前記カップ取得手段側に配設される第１の移送路と、該第１の移送路と分離したものであって、前記カップ取出部側に配設される第２の移送路とから成り、
前記第１の移送路の前記カップ取出部側の端部の垂直下方に前記第２の移送路が存在することを特徴とする請求項１に記載の受付装置。
【請求項３】
前記カップ移送路は、
前記第１の移送路の両端部を結ぶ直線が水平となす第１の傾斜角度と、前記第２の移送路の両端部を結ぶ直線が水平となす第２の傾斜角度とが異なるものであって、前記第１の傾斜角度が前記第２の傾斜角度より大きくなるように配設されていることを特徴とする請求項２に記載の受付装置。
【請求項４】
前記受付装置は、前記カップ移送路を滑動する採尿カップの姿勢を、該採尿カップの底部が先行するように案内するカップ案内手段を備え、
前記カップ取出部は、前記カップ移送路の該カップ取出部側の端部と略同一方向の下り勾配を有する第１部材と、第１部材に対して起立する第２部材とからなり、
前記カップ移送路により移送された採尿カップは、前記第２部材により底部を支持された状態において側壁が前記第１部材に沿う姿勢となることを特徴とする請求項１から３のいずれかに記載の受付装置。
【請求項５】
前記受付装置は、前記カップ収容手段と前記カップ取得手段とを収容する本体部と、該本体部に対して開閉自在に取り付けられた蓋体部と、を備え、
前記カップ取出部は、前記蓋体部の開口に設けられ、
前記カップ移送路は、
前記第１の移送路が前記本体部に配設され、前記第２の移送路が前記蓋体部に、前記カップ取出部に連結するように配設され、
前記本端部が前記蓋体部により閉じられた状態において、前記第１の移送路の前記カップ取出部側の端部の垂直下方に前記第２の移送路が存在するものであることを特徴とする請求項２から４のいずれかに記載の受付装置。
【請求項６】
前記受付装置は、前記カップ収容手段と前記カップ取得手段を収容する筐体を備え、
前記カップ取出部は、前記筐体の開口に設けられ、
前記第２部材は、
前記筐体の露出面から突出するように設けられるものであり、
前記採尿カップが前記カップ取出部に受け止められた状態において、該採尿カップの少なくとも一部が、前記筐体の外部に対して露出した姿勢となることを特徴とする請求項３に記載の受付装置。
【発明の詳細な説明】
【技術分野】
【０００１】
本発明は、病院などにおける検査の受付を自動化することができる受付装置に関するものであり、特に尿検査を必要とする受付が行われると、検査用の検体を入れる採尿カップを自動的に供給することができるように構成された受付装置において、該受付装置から、採尿カップがスムーズに排出可能であると共に、採尿カップの取り忘れを防止可能とする受付装置の構成に関する。
【背景技術】
【０００２】
従来の受付装置において、複数の検査項目の中から、特に尿検査の受診の受付を行う装置が提案されている。尿検査に対応した受付装置では、操作する患者が尿検査を要する場合、当該装置内から採尿に用いるカップ（採尿カップ）を患者に対して提供する機能を有するものがある。
【０００３】
その例として、例えば、特許文献１には、ラベル貼付後のコップ（本願の採尿カップに相当）を自然落下により起立状に放出される構成を採用したラベル自動貼着機（本願の受付装置に相当）が提案されている。このラベル自動貼着機では、ラベル貼付後の採尿カップがラベル貼着手段から落下すると、採尿カップの外径が最も大きい部分（口部分）が案内傾斜板に当接し、かつホッパー片の内面の案内作用によって、ラベル貼付手段から横向きになって前記落下してくる採尿カップを起立状に反転させ、前記ホッパー片の下端間から落下させるように構成されている。
【先行技術文献】
【特許文献】
【０００４】
【特許文献１】特開平８−３０１２５１号公報
【発明の概要】
【発明が解決しようとする課題】
【０００５】
近年、ハードウエアや該ハードウエアを制御するソフトウエアなどにユニバーサルデザインの考え方が導入されている。上述の受付装置においても、大人であっても子供であっても、或いは車椅子の利用者であっても、受付が容易にできることが望まれる。更には、受付装置から自動的に排出される尿検査用の採尿カップの存在を、患者或いは受診者などの利用者（以下「患者」と称す）にハッキリと認知させるばかりでなく、排出された採尿カップが容易に取出せるように構成されることが求められる。
【０００６】
ところで、特許文献１の技術は、基本的に採尿カップの自然落下を利用して、コップ取出部（以下では、採尿カップの表現に合わせカップ取出部と記載する。）の位置に放出されるように構成されていることから、採尿カップを簡単な構成であっても安全、且つ素早く供給できるようになるものの、採尿カップの落下方向が鉛直方向であることから、ラベルが貼付された採尿カップは、カップ取出部の内部に起立状に放出された状態で収納される。
【０００７】
しかしながら、このような自然落下を利用した採尿カップの排出の仕組によると、受付装置を設置する位置（換言すれば、カップ取出部の高低）によっては、カップ取出部内に放出された採尿カップは、いがカップ取出部内部を覗き込まないと、採尿カップの存在が認識できないといった問題が残る。例えば、子供や車椅子の利用者に合わせて、該装置の設置場所を低い位置にした場合、背の高い人には採尿カップは見え難いことになる。
【０００８】
更に言えば、採尿カップが排出されたことに気付いたとしても、採尿カップを見ながら取出すことができないので、該採尿カップを取出すために、狭いカップ取出部内に手を差し入れて指先で探る必要があったり、場合によっては指先で採尿カップを倒したりしてしまうといった、採尿カップの取扱性に問題が生じる。
【０００９】
本来、上述の従来の技術を利用した受付装置の導入により、患者は受付と同時に採尿カップを受け取り採尿ができるので、効率的な尿検査ができるようになる筈が、受付装置から排出された採尿カップの存在に気付かないと、患者は、受付が完了したと思い込み、採尿カップが別途届けられるものと勘違いすることになり、患者に迷惑が掛かるばかりでなく、病院側においても効率的な検体検査ができないと言う問題が生じる。
【００１０】
また、カップ取出部に採尿カップが残された状態で新たな患者の受付を行うと、複数の採尿カップがカップ取出部に存在することになり、患者毎に異なるラベルが貼付された採尿カップの取り違えが生じる恐れが考えられた。
【００１１】
本願発明は、上記の問題点を解決するためになされたものであり、採尿を伴う検査の受付が行われると、ラベルが貼付された採尿カップを、スムーズに、且つ素早く提供することができるばかりでなく、設置の場所や高さを限定することなく、排出された採尿カップの存在を確実に確認でき、しかも該採尿カップの取出しを容易とする受付装置を提案することを目的とする。
【課題を解決するための手段】
【００１２】
本願発明は、採尿カップを収容するカップ収容手段と、そのカップ収容手段に収容された採尿カップを取得するラベル取得手段と、その採尿カップ取得手段により取得された採尿カップを受け止めるカップ取出部を備える受付装置において、前記ラベル取得手段から前記カップ取出部にかけて、該カップ取得手段により取得された採尿カップを該カップ取出部まで移送するカップ移送路を備え、該カップ移送路は、前記カップ取得手段側から前記カップ取出部側にかけて下り勾配となるように配設されており、前記採尿カップが、前記カップ移送路の下り勾配上を滑動して前記カップ取出部に到達することを特徴とする受付装置である。
【００１３】
上述した本願発明にあって、前記カップ移送路は、前記カップ取得手段側に配設される第１の移送路と、該第１の移送路と分離したものであって、前記カップ取出部側に配設される第２の移送路とから成り、前記第１の移送路の前記カップ取出部側の端部の垂直下方に前記第２の移送路が存在することを特徴とする構成が提案される。
【００１４】
上述した本願発明にあって、前記カップ移送路は、前記第１の移送路の両端部を結ぶ直線が水平となす第１の傾斜角度と前記第２の移送路の両端部を結ぶ直線が水平となす第２の傾斜角度とが異なるものであって、前記第１の傾斜角度が前記第２の傾斜角度より大きくなるように配設されてなることを特徴とする構成が提案される。
【００１５】
上述した本願発明にあって、前記カップ移送路を滑動する採尿カップの姿勢を、該採尿カップの底部が先行するように案内するカップ案内手段を備え、前記カップ取出部は、前記カップ移送路の該カップ取出部側の端部と略同一方向の下り勾配を有する第１部材と、第１部材に対して起立する第２部材とからなり、前記カップ移送路により移送された採尿カップは、前記第２部材により底部を支持された状態において側壁が前記第１部材に沿う姿勢となることを特徴とする構成が提案される。尚、第１部材と第２部材とは別々に形成された部材であってもよいし、一体形成された部材であってもよいことは、言うまでもない。また、第１部材および第２部材はいずれも、それぞれ、受付装置の他の機能を兼ねるものであってもよい。
【００１６】
上述した本願発明にあって、前記受付装置は、前記カップ収容手段と前記カップ取得手段とを備える本体部と、該本体部に対して開閉自在に取り付けられた蓋体部と、を備え、前記カップ取出部は、前記蓋体部の開口に設けられ、前記カップ移送路は、前記第１の移送路が前記本体部に配設され、前記第２の移送路が前記蓋体部に、前記カップ取出部側に連結するように配設され、前記本端部が前記蓋体部により閉じられた状態において、前記第１の移送路の前記カップ取出部側の端部の垂直下方に前記第２の移送路が存在するものであることを特徴とする構成が提案される。
【００１７】
上述した本願発明にあって、前記受付装置は、前記カップ収容手段と前記カップ取得手段を収容する筐体を備え、前記カップ取出部は、前記筐体の開口に設けられ、前記第２部材は、前記筐体の露出面から突出するように設けられるものであり、前記採尿カップが前記カップ取出口に受け止められた、該採尿カップの少なくとも一部が、前記筐体の外部に対して露出した姿勢となることを特徴とする構成が提案される。
【発明の効果】
【００１８】
本願発明の受付装置によれば、カップ収容手段からカップ取得手段により取得された採尿カップは、下り勾配であるカップ移送路を滑らかに移動して、カップ取出部まで到達させられるので、唐突な採尿カップの出現により患者を驚かせたり、底面との衝突によって採尿カップが破壊されたりすることを防ぐことができる。
【００１９】
また、カップ移送路が上流である第１移送路と、下流である第２移送路で構成され、第１移送路を滑動した採尿カップは、第１移送路の下端に到達すると、その下端の垂直下方に存在する第２移送路へと移る。そして、採尿カップは第２移送路を滑動してカップ取出部に到達する。仮に第１移送路の摩擦が大きいとしても、第１移送路から第２移送路に移るタイミングで、採尿カップは段差を落下することにより再加速されるので、採尿カップを確実にカップ取出部に到達させることができる。
【００２０】
また、第１の移送路の両端を結ぶ直線が水平となす傾斜角度は、第２の移送路の両端を結ぶ直線が水平となる傾斜角度より大きいので、採尿カップの当初の滑動において十分に加速し、カップ取出部への到達直前においては滑動速度を緩めることができる。したがって、採尿カップを確実にカップ取出部に到達させられるとともに、その到達時において適切な滑動速度とすることができる。
【００２１】
また、カップ移送路を滑動してきた採尿カップは、該カップ移送路と略同一方向の下り勾配を有する第１部材に側壁を沿わせた姿勢で、第１部材から立設する第２部材により支持され停止する。即ち、患者から見れば、採尿カップが傾斜した状態で提示されるので、患者は該採尿カップを容易に受付装置から取得することができる。例えば、前記カップ取出部を該受付装置の中間位置より僅かに低い位置に設ければ、子供や車椅子の利用者に対しても、採尿カップの視認性、取扱性に優れた受付装置とすることができる。
【００２２】
また、第１の移送路は本体部に、第２の移送路は本体部に対して開閉自在な蓋体部に取り付けられているので、蓋体部の開閉に伴い、第２の移送路は第１の移送路から離隔させることができる。即ち、本体部内部において第１の移送路と第２の移送路の組み合わせを容易に解除することができるので、受付装置の内部のメンテナンス性を高められるとの効果がある。
【００２３】
また、カップ取出部の第２部材は、蓋体部の外側（本体部からみた外側）に突出しているので、採尿カップを第２部材が支持するとき、採尿カップの一部は本体部に対し、蓋体部の開口から少なくとも一部を露出する姿勢となる。これにより、患者はより容易に採尿カップの出現を認識できるので、該採尿カップの取り忘れを防ぐことができる。
【００２４】
例えば、背の高い人にとっては、カップ取出部が低い位置になるものの、カップ取出部が俯瞰できるばかりでなく、採尿カップが傾斜状態で排出されるので、採尿カップの視認性、取扱性を損なうことはない。つまり、従来技術のように、採尿カップの排出に気が付かないといった問題をなくすことができるし、気が付いたとしても、採尿カップを取出すために、カップ取出部を覗き込む必要も無いし、狭いカップ取出部内に手を差し入れて取出す必要も無いから、指先で探って採尿カップを倒してしまうといった取扱性の悪さを無くすことができる。
【００２５】
更に言えば、採尿カップの視認性、取扱性が向上したことにより、患者は受付と同時に確実に採尿カップを受け取り、採尿ができるので、患者に余分な負担を掛ける事が無くなる。これに伴い、病院側においても効率的な尿検査ができるようになる。
【００２６】
また、カップ取出部に採尿カップが取り残される可能性を低減できるので、複数の採尿カップがカップ取出部に存在することが無くなり、患者毎に異なる所定事項が印字済みのラベルが貼付された採尿カップの取り違えが起きることを無くすことができる。
【図面の簡単な説明】
【００２７】
【図１】本発明の一実施例である受付装置１の概要を示す斜視図である。
【図２】受付装置１の内部構成の要部を拡大した正面図である。
【図３】受付装置１の内部構成の要部を拡大した斜視図である。
【図４】カップ移送路２０の構成を説明する図であり、（ａ）はカップ取出口１０とカップ移送路２０との配設の状態を示す拡大図、（ｂ）は第１実施例にかかるカップ移送路２０の構成を模式的に示す側面図、（ｃ）はカップ移送路２０の傾斜角度を説明するための模式図、（ｄ）は（ｂ）中におけるＡ−Ａ線から見た断面図、（ｅ）は（ｂ）中におけるＢ−Ｂ線から見た断面図／端面図である。
【図５】採尿カップ５が移送される仕組みを説明する模式図であり、（ａ）は第１実施例にかかるカップ移送路２０を採尿カップ５が移動する状態を示す模式図、（ｂ）は段差２５の作用を説明するための模式図である。
【図６】採尿カップ５が第２実施例にかかるカップ移送路２０Ａを移動する状態を説明するための模式図である。
【図７】カップ取出口１０を説明する図であり、（ａ）は受付装置１の上方からカップ取出口１０を見下ろした拡大斜視図、（ｂ）は（ａ）中の矢印Ｆ方向から見た部分拡大図、（ｃ）は（ａ）中の矢印Ｕ方向から見た部分拡大図である。
【発明を実施するための形態】
【００２８】
（第１実施例）
本願に係る発明（以下「本発明」と称す）の受付装置の一実施例として、特に血液検査と尿検査の受付を機械的に行う受付装置１を取り上げ説明する。尚、以下の説明で方向を示す場合は、図１において示される受付装置１を基準とし、正面（前）は図の左手前、背面（後）は図の右奥側のことを示し、上（上方）は図の上側、下（下方）は図の下側ことを示す。その他の方向に関しては明細書中に記載された通りとする。また、以下の説明では、本発明の受付装置を具体的に説明するために、病院において血液検査と尿検査の受付を機械的に行う受付装置１を実施例として用いるが、本発明は、この実施例に限定されるものではなく、尿検査以外に受付できる検査項目を適宜に追加したものでもよい。また、健康診断における検査の受付装置にも適用できることは言うまでもない。
【００２９】
図１は受付装置１の概要を示す斜視図である。本実施例の受付装置１は、本体部８、及び本体部８の前面に取り付けられたフロントパネル９からなる。本体部８は後述するカップ収容部５０やラベル貼付手段３０等を収容するものである。フロントパネル９は、本体部８に対して開閉自在に蝶着されており、フロントパネル９を本体部８から開くことで本体部８の内部を露出させることができる。フロントパネル９を開放して本体部８内部を露出させることで、受付装置１のメンテナンスやカップ収容部５０（図２参照）への採尿カップ５の補充などを行うことができる。
【００３０】
フロントパネル９には、本体部８が備える受付部４０の一部を、フロントパネル９を閉じた状態において受付装置１の外部に露出させるための開口が設けられている。受付部４０は、患者の診察カードに記憶された情報を読み取るカード読取口４１と、整理券（図示せず）を排出する整理券出口４２を備える。ここでいう整理券とは、採血を受ける患者に対して発行される、整理番号や患者の個人情報、採血に係る事項等が印字される紙面である。
【００３１】
フロントパネル９は、受付装置１の処理結果等を患者に示すため表示装置であるモニタ７及び採尿カップ５を排出するカップ取出口１０を備える。詳しくは後述するが、本体部８の内部でラベルが貼付された採尿カップ５は、カップ移送路２０を通ってカップ取出口１０から排出される。カード読取口４１、整理券出口４２及びモニタ７等の装置は受付装置１が備える演算装置（図示せず）によって制御される。
【００３２】
次に、受付装置１の動作の概要について説明する。受付装置１は、ホストコンピュータ（図示せず）と接続されると共に、ホストコンピュータを介して血液を採血する採血場に配置された採血管準備装置（図示せず）と接続されことで採血業務支援システムを構成する。
【００３３】
本実施例における受付装置１は、個人を識別できるＩＤ番号等の識別情報を記憶した診察カード（図示せず）が、カード読取口４１に挿入されることで受付処理を開始する。受付装置１は、カード読取口４１にて診察カードに記録された識別情報を読み取ると、その識別情報を、ホストコンピュータに対して照会し、そのホストコンピュータから患者の氏名などの所定の個人情報と、患者が必要とする検査項目に関する検査情報を取得する。取得した個人情報及び検査情報に基づいて受付装置１は患者が尿検査や血液検査を必要とするか否かを判断し、尿検査を必要とする患者には採尿カップ５を提供し、血液検査を必要とする患者には採血場において必要となる情報（例えば、整理番号など）が印字された整理券（図示せず）を発行する。
【００３４】
より詳しくは図２、図３を参照して後述するが、受付装置１は、ホストコンピュータから取得した個人情報に基づいて患者に尿検査の必要があると判断した場合、その患者の個人情報に基づいて、所定の情報（例えば、氏名、年齢、生年月日などの項目）を印字した採尿ラベル３１ａ（図２参照）をラベル貼付手段３０（図２参照）によって採尿カップ５に貼付する。その後、ラベル貼付手段３０からラベル貼付済みの採尿カップ５を放出し、カップ移送路２０を介してカップ取出口１０に排出する。
【００３５】
また、受付装置１は、患者に血液検査があると判断した場合、採血場において必要となる情報（例えば、整理番号）が印字された整理券を、整理券出口４２から排出する。整理券の排出に合わせ、受付装置１は、ホストコンピュータを介して接続された採血管準備装置に対して、整理券に印字した整理番号及びその整理番号に関連付けられた患者の個人情報や採血に関する指示項目（例えば、生化学、血算、血糖、凝固など）の情報を送信する。
【００３６】
採血管準備装置では、受信した情報に基づいて適切な採血管を選択し、選択した採血管に整理番号及び所定の情報（例えば、指示項目、氏名、生年月日など）が印字された採血ラベルを貼付し、患者毎のトレーに採血管を仕分けして収容する。
【００３７】
この構成により採血場の採血者または採血スタッフは、患者が提示する受付装置１から取得した整理券の整理番号と、採血管準備装置において準備されたラベルの整理番号とを照合することで、効率よく、且つ取り違えなく採血を実施できる。
【００３８】
次に、図２、図３を参照して受付装置１の要部を説明する。図２は、本体部８の内部構成を説明するための、フロントパネル９を開いて本体部８内部を露出した状態を示す正面図である。図３は、図２に示す状態から、ラベル貼着手段３０を本体部８から引き出した状態を示す斜視図である。
【００３９】
受付装置１は、図２に示すように本体部８内に、受付部４０と、カップ収容部５０と、ラベル貼付手段３０と、カップ移送路２０と、を備える。受付部４０は、前述した通り、診察カードを読み取るカード読取口４１と、整理番号等が印字された整理券を排出する整理券出口４２と、からなる部分であり、フロントパネル９を閉鎖した状態においても、フロントパネル９の開口部を介して、カート読取口４１及び整理券出口４２が受付装置１の外部に露出するように取り付けられる。
【００４０】
カップ収容部５０は、複数の採尿カップ５を積み重ねて収容する部分である。尿検査を必要とする患者を受け付けた場合、カップ収容部５０から採尿カップ５の１つが取り出され、次工程であるラベル貼着手段３０に採尿カップ５が供給される。
【００４１】
図２には、カップ収容部５０は、採尿カップ５を積み重ねて収容する様子を模式的に示したが、カップ収容部５０としては、採尿カップ５の収容数、積み重ねの方法、採尿カップを取り出す分離方法、採尿カップ５のラベル貼付手段３０への供給方法、或いはラベル貼付手段３０とカップ収容部５０の位置関係等について、周知の技術を採用可能なものであり、詳細な説明はここでは省略する。
【００４２】
ラベル貼付手段３０は、採尿ラベル（図示せず）に所定の情報を印字し、その印字した採尿ラベルをカップ収容部５０から供給される採尿カップ５のラベル貼付面５ｂに貼付する装置である。ここで、図３を参照してラベル貼付手段３０について詳述する。図３は、ラベル貼付手段３０を受付装置１の本体部８から、図示矢印Ｐの方向に引き出した状態を示す図である。ラベル貼付手段３０の本体部８奥側には、ロール状に巻き回されたラベル連続体３１が収容される。ラベル連続体３１には、複数の未印字の採尿ラベル３１ａが仮着されている。ラベル貼付手段３０は、収容されたラベル連続体３１から引き出され、ガイドローラ等から成る搬送路（図示せず）を介して印刷ヘッド（図示せず）に搬送されたラベル連続体３１上の採尿ラベル３１ａの各々に所定の情報を印字する。また、前述した通り、ラベル貼付手段３０は、印字した採尿ラベル３１ａを、カップ収容部５０から供給される採尿カップ５のラベル貼付面５ｂに貼付する。具体的には、カップ収容部５０から順次供給される採尿カップ５がラベル貼付手段３０におけるカップ受入口３２からラベル貼着位置（図示せず）に到達すると、周知のラベル貼付技術を用いてラベル貼付手段３０が採尿ラベル３１ａを採尿カップ５のラベル貼付面５ｂに貼付する。採尿ラベル３１ａが貼付された採尿カップ５は、ラベル貼付手段３０のラベル貼着位置から、カップ移送路２０に向けて放出される。尚、本実施例におけるラベル貼付手段３０からカップ移送路２０への採尿カップ５の放出は、ラベル貼付手段３０に対して下方に位置するカップ移送路２０への自由落下によるものである。
【００４３】
再び図２を参照して説明する。カップ移送路２０は、ラベル貼付手段３０から放出された採尿カップ５を、カップ取出口１０に向けて移送するための通路である。前述したとおり、カップ移送路２０の一部がラベル貼付手段３０の下方に位置することで、ラベル貼付手段３０から落下放出された採尿カップ５をカップ移送路２０の一部で受け止めるよう構成される。詳しくは後述するが、カップ移送路２０は、ラベル貼付手段３０から採尿カップ５を受け取る上流側から、カップ取出口１０に繋がる下流側にかけて下り勾配となるように配設されたスロープ状の部材である。尚、図２に示すように、移送用スロープ２１は本体部８側に、排出用スロープ２２はフロントパネル９側に取り付けられており、フロントパネル９が開放された状態（図２の状態）では、移送用スロープ２１と排出用スロープ２２とが分離する。フロントパネル９を閉じた状態において、移送用スロープ２１と、排出用スロープ２２の一部が重なり合うことで、カップ移送路２０が構成される。
【００４４】
次に図４を参照して、カップ移送路２０について詳述する。図４（ａ）は、受付装置１のフロントパネル９に設けられたカップ取出口１０から、カップ取出口１０の内部（本体部８の内部）方向を見たときの、カップ移送路２０の様子を示す拡大図である。カップ取出口１０の内側方向（図の奥側）から外側方向（図の手前）にかけて、移送用スロープ２１と、排出用スロープ２２と、が順に配設されることでカップ移送路２０が構成される。
【００４５】
前述した通り、本実施例の受付装置１では、フロントパネル９を閉じた際に、本体部８に設けられた移送用スロープ２１と、フロントパネル９に設けられた排出用スロープ２２とが、互いのスロープの少なくとも一部の領域が重なることで、図４（ａ）に示すように、カップ移送路２０が構成される。
【００４６】
図４（ｂ）、（ｃ）、（ｄ）、（ｅ）を参照し更に詳しく説明する。図４（ｂ）は、本実施例にかかるカップ移送路２０の構成を模式的に示す側面図であり、図４（ｃ）はカップ移送路２０の傾斜角度を説明するための模式図であり、図４（ｄ）は図４（ｂ）中におけるＡ−Ａ線から見た断面図、図４（ｅ）は図４（ｂ）中におけるＢ−Ｂ線から見た断面図／端面図である。
【００４７】
移送用スロープ２１、排出用スロープ２２は、例えば金属材や樹脂材からなる板体を、夫々一方側（図の上側）を開放するように湾曲形成し、採尿カップ５を移送するための移送面を底部とする断面略凹形状をしている。更に本実施例における移送用スロープ２１と排出用スロープ２２は、少なくともこの２つのスロープが重なる領域において、移送用スロープ２１より排出用スロープ２２の方が僅かに大きい略相似形となるように形成されており、図４（ｅ）に良く示されているように、排出用スロープ２２の開放部２２ｃから排出用スロープ２１の湾曲した内部に、移送用スロープ２１を重ねるように配置させることができる。
【００４８】
この２つのスロープが重なる領域において、移送用スロープ２１の開放部２１ｃの幅寸法（移送方向に直交する方向の寸法）Ｗ１は、例えば、採尿カップ５の移送を邪魔せず、採尿カップ５が移送用スロープ２１上を、略真直ぐな姿勢を保ったまま移送されるような幅にするのが好ましい。例えば、図４（ｅ）に示すように、移送用スロープ２１の湾曲した内部に採尿カップ５を載置した状態で、湾曲部内に位置するカップの口部５ｃ側部分（即ち、採尿カップの外径寸法が大きい部分）における幅寸法（移送方向に直交する方向の寸法）より僅かに大きい寸法にすればよい。これに伴い、排出用スロープ２２の開放部２２ｃの幅寸法Ｗ２は、排出用スロープ２２に移送用スロープ２１を重ねることができるように、移送用スロープ２１の開放部２１ｃの幅寸法Ｗ１より僅かに大きくすればよい。
【００４９】
尚、本実施例におけるカップ移送路２０では、少なくとも移送用スロープ２１と排出用スロープ２２の２つのスロープが重なる領域において、移送用スロープ２１と排出用スロープ２２は略相似形となるように形成されている例を示したが、本発明としては、相似形に限定されるものではなく、移送用スロープ２１と排出用スロープ２２の形状や材質などは異なるものであってもよい。
【００５０】
更に本実施例では、図４（ｃ）に示すように、移送用スロープ２１と排出用スロープ２２は、夫々水平方向に対して異なる傾斜角度を有するように傾斜した状態で配設されており、カップ移送路２０の全体が、ラベル貼付手段３０からカップ取出口１０方向にかけての下り勾配となるよう構成されている。尚、この傾斜角度の詳細な説明は図５（ａ）を用いて後述する。
【００５１】
開放されているフロントパネル９が閉じられると、フロントパネル９に配設された排出用スロープ２２は図４（ｂ）中に矢印Ｒで示す方向に移動して、移送用スロープ２１の下流側の端部２１ａの垂直下方に排出用スロープ２２の一部が位置する。
【００５２】
次に、図４（ｅ）を参照して移送用スロープ２１と排出用スロープ２２との重なりについて詳述する。尚、図４（ｅ）中、２２ｂの符号を付した一点鎖線は、排出用スロープ２２の上流側の端部２２ｂを示す仮想線である。この図から分かるように、移送用スロープ２１の下流側の端部２１ａと、排出用スロープ２２の上流側の端部２２ｂが当接して、排出用スロープ２２の移動の邪魔をしないよう、互いの端部の間には僅かな間隙Ｇが設けられている。この間隙Ｇを設けたことにより、移送用スロープ２１と排出用スロープ２２との重ね合わせがスムーズに行える。
【００５３】
また、間隙Ｇの存在により、カップ移送路２０を構成した状態において、移送用スロープ２１と排出用スロープ２２との間に段差が生じる。この段差を設けたことによる作用の詳細については、図５（ｂ）を参照して後述するが、この実施例によると、採尿カップ５がこの段差を通過する際に、移送用スロープ２１との間に生じた摩擦力が弱まった状態で、且つ段差を落下しながら通過するので、採尿カップ５は、僅かに勢いを増した状態で排出用スロープに移送にされる。これにより、採尿カップ５がスロープとの摩擦などにより止まってしまうことを防止できるので、採尿カップ５のよりスムーズな移送が実現できる。
【００５４】
以上のように、本発明の実施例におけるカップ移送路２０は、その全体が、ラベル貼付手段３０からカップ取出口１０方向にかけて下り勾配となるように配設されることで、ラベル貼付手段３０から放出された採尿カップ５は、カップ移送路２０によりカップ取出口１０に向けて傾斜状態で、動力を用いずに移送される。
【００５５】
尚、上述の重なる領域とは、図４（ｂ）の模式図に示すように、移送用スロープ２１と排出用スロープ２２の少なくとも一部を上下方向に配置させたときの状態を、カップ移送路２０の真上（図の上）から見たときに、夫々の投影面が重なる部分のことである。また、前記移送用スロープ２１の下流側（排出用スロープ２２側）である一方の端部２１ａと、前記排出用スロープ２２の上流側（移送用スロープ２１側）である他方の端部２２ｂとが、水平面に直交する同一面上に配設され、カップ移送路２０の真上から見たときに、一方の端部２１ａと他方の右端部２２ｂとの間に隙間がない場合も含まれる。即ち、移送用スロープ２１の下流側である端部２１ａの垂直下方に排出用スロープ２２のすくなくとも一部が位置すれば、カップ移送路２０として成り立つ。
【００５６】
ここで図５（ａ）を参照して、採尿カップ５が傾斜状態で移送される仕組みを詳しく説明する。図５（ａ）は本実施例にかかるカップ移送路２０を説明する模式図であり、採尿カップ５がカップ移送路２０を移送される状態を説明するためのものである。この図５（ａ）に示すカップ移送路２０は、移送用スロープ２１と排出用スロープ２２が異なる傾斜角度を有する構成の一実施例を示すものであり、この実施例では、移送用スロープ２１は、側面から見たときにスロープ上に１点の屈曲を設け、２つの異なる傾斜角度を有する。具体的には、図５（ａ）に示すカップ移送路２０の使用の態様において、移送用スロープ２１の上流側（屈曲に対してラベル貼付手段３０側）は傾斜角度θ１ａ、下流側（屈曲に対して排出用スロープ２１側）は傾斜角度θ１ｂであり、傾斜角度θ１ａは傾斜角度θ１ｂより大きい。
【００５７】
そして、移送用スロープ２１と排出用スロープ２２とは、移送用スロープ２１全体がなす第１の傾斜角度θ１（図４（ｃ）参照。移送用スロープ２２の上流側である他方の端部２１ｂと下流側である一方の端部２１ａを結ぶ仮想線が水平となす角度であり、θ１ｂ＜θ１＜θ１ａの関係からなる）と、排出用スロープ２２がなす第２の傾斜角度θ２とが異なり、しかも、移送用スロープ２１全体がなす第１の傾斜角度θ１は、排出用スロープ２２がなす第２の傾斜角度θ２より大きくなるように配設されている。
【００５８】
尚、本実施例の場合、移送用スロープ２１の下流側（排出用スロープ２１側）の傾斜角度θ１ｂは、排出用スロープ２２の第２の傾斜角度θ２より大きいのが望ましいが、同一であっても良い。
【００５９】
かかる構成からなるカップ移送路２０を用いた採尿カップ５の移送の仕組みを、以下に説明する。
【００６０】
ラベル貼付手段３０から放出された採尿カップ５は、上方（図の矢印Ａ１）から移送用スロープ２１の移送面２１ｄ（図４参照）に向けて落下し、まず、採尿カップ５の底部５ａの一部が、矢印Ａ２の部分である移送用スロープ２１における傾斜角度θ１ａの領域の移送面２１ｄに当接する。この時、採尿カップ５の重心位置（図示せず）は、底部５ａと移送面２１ｄとが当接した部分より下流側（図の左側・カップ取出口１０側）に位置するものの、当接した移送面２１ｄの傾斜角度θ１ａが十分大きく構成されていることから、採尿カップ５は下流側（図の左側）に転倒する前に、底部５ａが移送面２１ｄに沿うように滑り落ちる（図の矢印Ａ３）ため、採尿カップ５は、底部５ａを下側にした状態で移送用スロープ２１を滑り落ちる。そして、移送用スロープ２１を滑り落ちた採尿カップ５は、第２の傾斜角度θ２を有した排出用スロープ２２を介して、カップ取出口１０に、底部５ａを下側にした傾斜状態で排出される。
【００６１】
尚、この採尿カップ５の底部５ａを下側にした状態に転倒させるための、移送用スロープ２１（より詳しくは、移送面２１ｄ）の傾斜角度θ１ａは、ラベル貼付手段３０から放出される採尿カップ５の落下速度、採尿カップ５の大きさや質量、採尿カップ５と移送面２１ｄとの摩擦力、カップ取出口１０までの移送距離などを踏まえ、実験的に決めればよい。
【００６２】
発明者らの実験によると、例えば、移送用スロープ２１の上流側の傾斜角度θ１ａは略５５度、下流側の傾斜角度θ１ｂは略３０度であり、移送用スロープ２１全体がなす第１の傾斜角度θ１は略３８度、排出用スロープ２２の第２の傾斜角度θ２は略２２度とすることにより、採尿カップ５は動力を用いずにカップ取出口１０まで移送されることが分かった。
【００６３】
次に、図５（ｂ）を参照して、カップ移送路２０に形成される段差２５の作用を説明する。図５（ｂ）は採尿カップ５の移送の状態を分かり易く説明するための図であり、図５（ａ）の段差部分を取出し、より簡略化して示した図である。上述したように、この段差２５は移送用スロープ２１と排出用スロープ２２の重なる領域において、間隙Ｇを設けたことにより形成されるものである。
【００６４】
図５（ｂ）に良く示されるように、段差２５を通過する採尿カップ５に着目すると、段差を通過する採尿カップ５は、底部５ａ及び口部５ｃが移送用スロープ２１との接触から瞬間的に開放され、それまで採尿カップの底部５ａ及び口部５ｃの２点と移送用スロープ２１とが接触することにより生じていた摩擦力が、採尿カップ５の側面（ラベル貼付面５ｂ）と移送用スロープ２１の下流側である一方の端部２１ａとの１点だけの接触になることから、摩擦力が弱まった状態で排出用スロープ２２へ移送される。合わせて、採尿カップ５は、段差２５を落下しながら排出用スロープ２２へ移送される。つまり、カップ移送路２０に段差２５を設けたことにより、段差２５を通過する採尿カップ５は、僅かに下り方向への勢いを増しながら次の排出用スロープ２２に移送されるので、採尿カップ５が排出用スロープ２２との摩擦などにより途中で止まってしまうことを防止でき、よりスムーズにカップ取出口１０への排出が行えるようになる。
【００６５】
本実施例によると、移送用スロープ２１において、傾斜角度θ１ａを有した移送面２１ｄの領域では採尿カップ５がスピード優先で移送されるものの、傾斜角度θ１ｂを有した移送面２１ｄから第２の傾斜角度θ２を有した排出用スロープ２２にかけて、徐々に傾斜角度が小さくなるので、採尿カップ５をゆっくりと移送することができるから、よりスムーズに採尿カップ５の排出を行うことができる。
【００６６】
このように、採尿カップ５が一気にスロープを下ってカップ取出口１０に排出されないので、採尿カップ５がカップ取出口１０にぶつかることによって生じる衝突音の発生を抑えることができるし、衝突による採尿カップ５の破損を防止できる。また、カップ取出口１０にゆっくりと排出されるので患者を驚かすことがない、などの効果が得られる。
【００６７】
尚、本実施例に示すカップ移送路２０では、図５（ａ）に示す使用の態様において、移送用スロープ２１は２つの傾斜角度θ１ａ、θ１ｂを有し、排出用スロープ２２は第２の傾斜角度θ２を有するように配設させた構成を示したが、本実施例に限定されるものではなく、例えば、移送用スロープ２１を１つの傾斜角度（移送面２１ｄがフラット）としても良いし、３つ以上の傾斜角度θ１ａ、θ１ｂ、θｃ…を有するように構成しても良い。また、排出用スロープ２２も複数の傾斜角度を有するように構成しても良い。
【００６８】
また、移送用スロープ２１の移送面２１ｄ、排出用スロープ２２の移送面２２ｄがそれぞれ曲面を描くように湾曲させた構成とし、湾曲した移送用スロープの全体の第１の傾斜角度θ１（移送用スロープの上流側における他方の端部２１ｂと下流側における一方の端部２１ａを結ぶ仮想線が水平となす角度）と、湾曲した排出用スロープの全体の第２の傾斜角度θ２（排出用スロープの上流側における他方の端部２２ｂと下流側における一方の端部２２ａを結ぶ仮想線が水平となす角度）を異なるように配設させる構成としても良い。
【００６９】
つまり、移送用スロープ２１の第１の傾斜角度θ１と排出用スロープ２２の第２の傾斜角度θ２が異なり、移送用スロープ２１の第１の傾斜角度θ１は排出用スロープ２２の第２の傾斜角度θ２より大きくなるように配設され、且つ移送用スロープ２１と排出用スロープ２２の重なる領域においてスロープに上下方向に段差（より詳しくは間隙Ｇ）が生じるように配設されていればよく、スロープの構成は問わない。
【００７０】
次に、カップ取出口１０について図７を参照して説明する。本発明の実施例にかかるカップ取出口１０は、フロントパネル９を貫通するように設けられた略四角形状をしている。そして、カップ取出口１０の下方部には、フロントパネル９の表面側に突出するように、カップ移送路２０から移送されてきた採尿カップ５を受け入れ、保持するカップ受入部１１が設けられている。
【００７１】
このように構成されたカップ取出口１０には、図７に良く示されているように、カップ移送路２０における排出用スロープ２２の一方の端部２２ａが挿入された状態となるように配設されており、ラベル貼付手段３０からカップ移送路２０を介して移送され、カップ取出口１０に排出された採尿カップ５は、最終的にカップ取出口１０におけるカップ受取部１１に収容される。
【００７２】
本実施例では、排出用スロープ２２の一方の端部２２ａがカップ取出口１０内部に挿入された例を示したが、本実施例に限定されるものではなく、採尿カップ５が、排出用スロープ２２の一方の端部２２ａから、カップ受入部１１に排出されるように構成されていれば、排出用スロープ２２の一方の端部２２ａはカップ取出口１０内部に挿入されていなくても良い。この場合、カップ取出口１０及びカップ受入部１１の底部は、採尿カップ５の排出及び収容を良好にするため、カップ移送路２０のスロープと連続的になるように構成されると共に、排出用スロープがなす第２の傾斜角度θ２と略同じ下り勾配を有する構成とするのが良い。
【００７３】
排出された採尿カップ５の状態を図７（ｂ）に示す。図７（ｂ）はカップ取出口１０に採尿カップ５が排出された状態を示す図であり、図７（ａ）中の矢印Ｆ方向から見た部分拡大図である。この図７（ｂ）によく示されるように、排出された採尿カップ５は、底部５ａがカップ受入部１１の一部に支持された状態において、カップ移送路２０（より詳しくは、排出用スロープ２２）の傾斜角度に沿うように傾いた状態で、しかも、採尿カップ５の一部、本実施例では、少なくとも採尿カップ５の底部５ａ側の一部が、カップ取出口１０の開口部１０ａがなす仮想の面（フロントパネル９の表面と同一面を成す仮想の面）より外側、即ち、受付装置１の表面側に飛び出すように露出した状態で、カップ受入部１１に収容される。これにより、患者は容易に採尿カップ５を視認にし、かつ、容易に採尿カップ５を受付装置１から取り出すことができる。
【００７４】
図７（ｃ）はカップ取出口１０に採尿カップ５が排出された状態を示す図であり、図７（ａ）中の矢印Ｕ方向から見た部分拡大図である。この図７（ｃ）によく示されるように、カップ取出口１０は、その開口部１０ａの外形を、カップ取出口１０を俯瞰したときに、採尿カップ５全体が視認可能で、しかも、手先が十分に入る程度の大きさとすることにより、採尿カップ５の視認性、及びカップ取出口１０に傾斜状態で排出された採尿カップ５の取扱性をきわめて良好なものとすることができる。
【００７５】
かかる構成によれば、カップ移送路２０に所定の傾斜角度を設けることで、採尿カップ５は、ラベル貼付手段３０からカップ取出口１０へ、動力を用いずともカップ移送路２０に沿うように傾いたままの状態で移送されると共に、カップ取出口１０に排出された採尿カップ５は、カップ受入部１１において、少なくとも採尿カップ５の底部５ａ側の一部が、カップ取出口１０より受付装置１の表面側に位置するように傾斜状態で収容される。
【００７６】
また、移送用スロープ２１と排出用スロープ２２の重なる領域においてスロープに上下方向に段差が生じる構成としたことにより、移送用スロープ２１を移送されてきた採尿カップ５が段差を通過する時に、採尿カップ５は、移送用スロープ２１との間に生じた摩擦力を軽減した状態で、且つ段差を落下しながら通過するので、採尿カップ５は、僅かに勢いを増した状態で排出用スロープ２２に移送にされる。これにより、採尿カップ５が排出用スロープ２２との摩擦などにより止まってしまうことを解消でき、よりスムーズにカップ取出口１０まで移送可能となる。
【００７７】
また、移送用スロープ２１の傾斜角度を可変自在に固定できる構成とし、移送用スロープ２１と排出用スロープ２２の重なる領域において生じる間隙Ｇを、移送用スロープの可動範囲に対応できる寸法とすることにより、例えば、実際に使用する採尿カップ５の諸元（寸法、質量、移送面との摩擦係数など）に応じて、移送用スロープ２１の傾斜角度を調整することができるようになるので、採尿カップ５の移送スピードを最適化するなどのカスタマイズが簡単にできる。また、設置現場での調整ができるようになり、極めて利便性のよい受付装置１を提供できる。
【００７８】
また、カップ移送路２０を、ラベル貼付手段３０側（即ち、本体部８側）に配設される移送用スロープ２１と、カップ取出口１０側（即ち、フロントパネル９側）に配設される排出用スロープ２２とに夫々分割して配設させることにより、夫々のスロープの長さを、短くすることができることから、採尿カップ５の補給やラベル連続体３１の交換などのメンテナンス時にフロントパネル９を本体部８から開いても、夫々のスロープが、本体部８やフロントパネル９から大きく突出することがないので、スロープがメンテナンスの邪魔をしない。また、夫々のスロープに手や腕がぶつかり難くすることができ、過失による故障や破損も防止できるなど、優れたメンテナンス性を有した受付装置１を提供できる。
【００７９】
また、本実施例では、患者が採尿カップ５を受付装置１から取り出せるよう、カップ取出口１０において採尿カップ５を支持する部材の一部として、排出用スロープ２２の一部（下端）を利用しているので、カップ取出口１０の構成部品を削減することができる。
【００８０】
（第２実施例）
次に、本発明の第２実施例を説明する。本実施例は、前述した第１実施例に対して、カップ移送路２０Ａを構成する移送用スロープ２１の傾斜角度と排出用スロープ２２の傾斜角度が同一となるように配設されている点が異なる。
【００８１】
図６は採尿カップ５がカップ移送路２０Ａで移送される状態を説明するための模式図である。かかる構成からなるカップ移送路２０Ａを用いた採尿カップ５の移送の仕組みを、以下に説明する。
【００８２】
ラベル貼付手段３０から放出された採尿カップ５は、上方（図の矢印Ａ１）から移送用スロープ２１の移送面２１ｄに向けて落下し、まず、採尿カップ５の底部５ａの一部が、移送用スロープ２１における移送面２１ｄと矢印Ａ２の部分で当接する。この時、採尿カップ５の重心位置（図示せず）は、底部５ａと移送面２１ｄとが当接した部分より下流側（図の左側）に位置するため、採尿カップ５は下流側（図の矢印Ａ４）に転倒し、採尿カップ５の口部５ｃが下側になった状態で、移送用スロープ２１を滑り落ちる。そして、移送用スロープ２１を滑り落ちた採尿カップ５は、排出用スロープ２２を介して移送され、カップ取出口１０に口部５ｃを下側にした傾斜状態で排出される。
【００８３】
尚、この採尿カップ５の口部５ｃを下側にした状態に転倒させるための、カップ移送路２０Ａ（より詳しくは、移送面２１ｄ、２２ｄ）の第３の傾斜角度θ３は、採尿カップ５をカップ取出口１０に排出するスピードをどの程度にするかに基づいて、採尿カップ５の大きさや質量、採尿カップ５と移送面２１ｄとの摩擦力などを踏まえ、実験的に決めればよい。発明者らの実験によると、例えば、傾斜角度θ３は略３０度とすることにより、採尿カップ５は動力を用いずにカップ取出口１０まで移送されることが分かった。
【００８４】
この異なる実施例にかかるカップ移送路２０Ａによると、第３の傾斜角度θ３を大きくするに従い、採尿カップ５の排出スピードが速くなる利点がある。
【００８５】
更に、このカップ移送路２０Ａによると、カップ移送路２０Ａの第３の傾斜角度θ３を上述した第１実施例における移送用スロープ２１の傾斜角度θ１ａ程度に大きくすれば、カップ移送路２０の場合のように、採尿カップ５の底部５ａを下側にした傾斜状態で排出させることができる。この場合、カップ移送路２０Ａの全体の傾斜角度が大きいので、採尿カップ５を素早く移送することができるから、採尿カップ５の排出がより効率よく行うことができるようになる。
【００８６】
以上、本発明によると、極めて簡単な構成であっても採尿カップ５を、動力を用いずとも排出できるし、また、採尿カップ５の排出は、カップ移送路２０の傾斜角度を利用した自然落下であり、採尿カップ５の排出をスムーズに行うことができるので、複雑で高価な安全対策を必要としない。
【００８７】
また、採尿カップ５の排出にモータなどの駆動装置を必要としないし、駆動装置に対する複雑な制御を行う必要もないので、コストを安くすることができる。
【００８８】
また、採尿カップ５が傾いた状態のままでカップ取出口１０におけるカップ受入部１１に収容されると共に、少なくとも採尿カップ５の底部５ａ側、或いは口部５ｃ側の一部がカップ取出口１０から受付装置１の表面側に露出することから、患者に採尿カップ５が排出されたことを容易に認識させることができる。また、採尿カップ５が傾いて排出されるため、採尿カップ５の側面部分に手を上から被せるようにして掴めるから、患者による採尿カップ５の取出しが極めて容易に行うことができる。
【００８９】
このため、図１に示す受付装置１において、例えば、カップ取出口１０を受付装置１の中間位置より僅かに低い位置に設ければ、子供や車椅子の利用者に対して、採尿カップ５の視認性、取扱性に優れた受付装置１とすることができる。
【００９０】
一方、背の高い人にとっては、カップ取出口１０が低い位置になるものの、図７（ｃ）の如くカップ取出口１０を俯瞰することができるので、採尿カップ５の視認性を損なうことが無い。また、採尿カップ５はカップ取出口１０に傾斜状態で排出されると共に、該カップ取出口１０の開口部１０ａの外形を、採尿カップ５全体が視認可能で、しかも手先が十分に入る程度の大きさにしたことにより、取扱性を損なうことはない。
【００９１】
つまり、従来技術のように、採尿カップ５の排出に気が付かないといった問題をなくすことができる。また、気が付いたとしても、採尿カップ５を取出すために、カップ取出口１０を覗き込む必要も無いし、狭いカップ取出口１０内に手を差し入れて取出す必要も無いから、指先で探って採尿カップを倒してしまうといった問題も無くすことができる。
【００９２】
更に言えば、採尿カップ５の視認性、取扱性が向上したことにより、患者は受付と同時に採尿カップを受け取り、採尿ができるので、患者に余分な負担を掛ける事が無くなる。これに伴い、病院側においても効率的な尿検査ができるようになる。
【００９３】
また、カップ取出口１０に採尿カップ５が取り残される可能性を低減できるので、複数の採尿カップ５がカップ取出口１０に存在することが無くなり、患者毎に異なる所定事項が印字されたラベルが貼付された採尿カップ５の取り違えが起きることがなくなる。
【００９４】
本発明にあっては、上述した実施例に限定されるものではなく、上述の実施例以外の構成についても本発明の趣旨の範囲内で適宜変更して実施可能である。
【００９５】
例えば、上記第１及び第２実施例に示されるカップ移送路２０、２０Ａは、移送用スロープ２１と排出用スロープ２２の２つの部材からなる構成を示したが、上述した実施例に限定されるものではなく、移送用スロープ２１と排出用スロープ２２を一体的に構成してもよい。この一体構成のカップ移送路では、カップ移送路はラベル貼付手段３０側（本体部側）に設けても良いし、カップ取出口１０側（フロントパネル側）に設けても良い。
【００９６】
また、上述した第１実施例において、移送用スロープ２１の傾斜角度θ１、θ１ａ、θ１ｂのいずれか、または全部を、ヒンジ部品等を利用して調節可能に構成してもよい。特に、当該実施例では、移送用スロープ２１が排出用スロープ２２と分離して構成しているので、排出用スロープ２２に影響を与えず、移送用スロープ２１の傾斜（勾配）のみを調整できるので、採尿カップ５の移動速度を容易に調整することが可能となる。しかしながら、排出用スロープ２２の傾斜角度θ２を調節可能とすることも、無論、妨げられるものではない。
【００９７】
例えば、上述した第１実施例において、本体部８の内側から、移送用スロープ２１と排出用スロープ２２の重なる領域において生じる間隙Ｇに向けて空気を放出すことにより、間隙Ｇから前側（図４（ｂ）図の矢印Ｒ方向とは反対の方向）に空気が吹き出すように構成しても良い。この変形の実施例は、空気を間隙Ｇに向けて放出する手段の一例として、受付装置１が備える演算装置の放熱用ファンによる排気を利用したエア放出手段を備えさせることにより実現できる。この変形の実施例によると、採尿カップ５が段差を通過する際に、第１実施例における段差の作用に加え、間隙Ｇを介して内側から放出される空気の作用により下流側に押されるので、採尿カップ５が排出用スロープ２２との摩擦などにより止まってしまうことをより効果的に防止でき、極めてスムーズな採尿カップ５の移送が実現できる。
【符号の説明】
【００９８】
１      受付装置
５      採尿カップ
５ａ    底部
５ｂ    ラベル貼付面
５ｃ    口部
７      モニタ
８      本体部（筐体の一部）
９      フロントパネル（蓋体部、筐体の一部）
１０    カップ取出口（カップ取出部）
１０ａ  開口部
１１    カップ受入部（第２部材）
２０    カップ移送路
２１    移送用スロープ（第１の移送路、カップ案内手段）
２１ａ  端部
２１ｃ  開放部
２１ｄ  移送面
２２    排出用スロープ（第２の移送路、第１部材）
２２ａ  端部
２２ｂ  端部
２２ｃ  開放部
２２ｄ  移送面
２５    段差
３０    ラベル貼付手段（カップ取得手段）
３１    ラベル連続体
３１ａ  採尿ラベル
３２    カップ受入口
４０    受付部
４１    カード読取口
４２    整理券出口
５０    カップ収容部（カップ収容手段）
【図１】
2018002468.tif 000003
【図２】
2018002468.tif 000004
【図３】
2018002468.tif 000005
【図４】
2018002468.tif 000006
【図５】
2018002468.tif 000007
【図６】
2018002468.tif 000008
【図７】
2018002468.tif 000009